(57)【要約】【課題】  角部の縦シールによって袋状包装体の強度が向上されており、使用時に破損することなく、安定に包装状態を維持することが可能であり、しかも使用時に袋状包装体を開封するに際しては、ノッチが広がるように上下に引けば、容易に横方向に切断され、安定に上部を上げて開口することができる易開封性を有する袋状包装体を提供する。【解決手段】  横方向に容易に引き裂き得る材質のフィルムにて形成されており、背面には、縦方向に合掌ヒートシール３１が施され、これには引き裂き用のノッチ３２が形成されており、両側部にはガゼット折り込み部４１が形成されていて、全体の断面が変形６角形状をなしており、折り込み部を除く４つの角部４２にはそれぞれ縦シール４３が施されており、前記ノッチ３２に近い側の２本の縦シール４３には、横方向に引き裂き可能に非シール部４４が部分的に施されている。【選択図】図１
0003123952.tif 000002
【実用新案登録請求の範囲】
【請求項１】
横方向に容易に引き裂き得る材質のフィルムにて形成されており、背面には、縦方向に合掌ヒートシールが施され、これには引き裂き用のノッチが形成されており、両側部にはガゼット折り込み部が形成されていて、全体の断面が変形６角形状をなしており、折り込み部を除く４つの角部にはそれぞれ縦シールが施されており、少なくとも前記ノッチに近い側の２本の縦シールには、横方向に引き裂き可能に非ヒートシール部が部分的に施されていることを特徴とする易開封性を有する袋状包装体。
【請求項２】
前記４つの角部の縦シールの側縁部には、ヒートシールされていない空気層が形成されていることを特徴とする請求項１記載の易開封性を有する袋状包装体。
【請求項３】
底部の両側部が斜めに切除されていて、この切除縁部に沿ってヒートシールが形成され、包装時に立設可能となされていることを特徴とする請求項１記載の易開封性を有する袋状包装体。
【請求項４】
長手方向に沿って粘着部と非粘着部とが並設されている再封シールが粘着されていることを特徴とする請求項１記載の易開封性を有する袋状包装体。
【考案の詳細な説明】
【技術分野】
【０００１】  本考案は、易開封性を有する袋状包装体に関するものである。
【背景技術】
【０００２】  袋状包装体としては、各種の包装体が知られており、図９に示したように、ガゼット折り込み部４１′，４１′が形成された包装体であって、折り込み部４１′，４１′を除く４つの角部にはそれぞれ縦シール４３′，４３′，４３′，４３′が施されている袋状包装体は、縦シール４３′，４３′，４３′，４３′によって強度が向上されており、使用時に破損することなく、安定に包装状態を維持することが可能であるため、広く使用されており、さらに、使用に際して横方向に易開封性を有する包装体が使用されている。【０００３】  しかしながら、折り込み部４１′，４１′を除く４つの角部の縦シール４３′，４３′，４３′，４３′は、上述のように、強度の向上には有効であるが、使用に際しての横方向への開封性を阻害するため、被包装物を簡易に取り出すことができないという致命的な欠陥があった。
【考案の開示】
【考案が解決しようとする課題】
【０００４】  本考案は、ガゼット折り込み部が形成されていて、広幅の被包装物を容易に挿入することが可能であり、折り込み部を除く４つの角部にはそれぞれ縦シールが施されているので、袋状包装体の強度が向上されており、使用時に破損することなく、安定に包装状態を維持することが可能であり、しかも使用時に袋状包装体を開封するに際しては、ノッチが広がるように上下に引けば、合掌シール部、背面部、縦シール、ガゼット折り込み部が順次、容易に切断され、安定に上部を上げて開口することができる易開封性を有する袋状包装体の提供を目的とするものである。
【課題を解決するための手段】
【０００５】  本考案は、上記目的を達成するものであって、横方向に容易に引き裂き得る材質のフィルムにて形成されており、背面には、縦方向に合掌ヒートシールが施され、これには引き裂き用のノッチが形成されており、両側部にはガゼット折り込み部が形成されていて、全体の断面が変形６角形状をなしており、折り込み部を除く４つの角部にはそれぞれ縦シールが施されており、少なくとも前記ノッチに近い側の２本の縦シールには、横方向に引き裂き可能に非ヒートシール部が部分的に施されていることを特徴とする易開封性を有する袋状包装体である。【０００６】  前記４つの角部の縦シールの側縁部には、ヒートシールされていない空気層が形成されていることが望ましい。また、底部の両側部が斜めに切除されていて、この切除縁部に沿ってヒートシールが形成され、包装時に立設可能となされていることが望ましく、さらに長手方向に沿って粘着部と非粘着部とが並設されている再封シールが粘着されていることが望ましい。
【考案の効果】
【０００７】  本考案の易開封性を有する袋状包装体によれば、ガゼット折り込み部が形成されているので、広げることにより全体断面が四角形状となり、広幅の被包装物を容易に挿入することが可能であり、折り込み部を除く４つの角部にはそれぞれ縦シールが施されているので、袋状包装体の強度が向上されており、破損することなく、安定に包装状態を維持することが可能である。さらに、縦シールは側縁部を残して縦シールされているため、側縁部には内部に微小な空気層が形成されているので、隣接する袋状包装体等と接触しても、損傷を与えないため、運搬などによる損傷を未然に回避することが可能である。
使用時に袋状包装体を開封するに際しては、ノッチが広がるように上下に引けば、合掌シール部が横方向に切断され、次いで背面部が横方向に切断され、縦シールに達し、その部分的な未シール部なため、容易に横方向に切断され、さらにガゼット折り込み部が切断され、安定に上部を上げて開口することができる。
被包装物を包装袋内に残留した状態で保管したい場合には、上部の開口部を折ったり、巻いたりして封鎖し、背面部に粘着した状態の再封シールの未シール部を持ち、背面部から剥離して前記上部の封鎖部を背面部とに渡って粘着させることにより容易に封鎖することができる。
【考案を実施するための最良の形態】
【０００８】  以下、図面に基づいて本考案の実施態様を詳細に説明する。
図１〜４において、１は本考案の易開封性を有する袋状包装体であって、該袋状包装体１は主として前面部２と背面部３と両側縁部４，４と底面部５とより形成されており、熱可塑性合成樹脂フィルムを背面部３に形成した合掌ヒートシール３１によって熱圧着して筒状に形成し、底面部５をエンドシールすることにより形成されていることが望ましいが、これに限らない。【０００９】  前記熱可塑性合成樹脂フィルムは、横方向に容易に引き裂き得る材質のフィルムであれば良く、例えば、一軸延伸フィルム等の横方向に引き裂き方向性の付与された樹脂フィルムが望ましい。さらに、ヒートシール性と強度とを兼備する積層フィルムであって、横方向に容易に引き裂き得る材質からなることが望ましい。さらに、積層構成は３層フィルムであって、最外層は延伸ポリエステル、延伸ポリプロピレン、延伸ナイロン等の高強度の樹脂フィルムと、中間層は一軸延伸ポリプロピレン、一軸延伸高密度ポリエチレン等の横方向に引き裂け良好なフィルムを用い最内層は無延伸ポリエチレン、無延伸ポリプロピレ等のヒートシール性良好なフィルムを使用することが望ましいが、これに限らない。【００１０】  本考案の袋状包装体１の背面側には、前述のように縦方向に合掌ヒートシール３１が施されており、この上部側には引き裂き用のノッチ３２が形成されている。このノッチ３２の形状は、マイナス状、Ｕ字状、Ｖ字状、ベースボール型状などの各種の形状とすることが可能であり、その長さは、合掌ヒートシール３１の巾の長さよりも短く、使用時の引き裂きの際までは、袋状包装体１の強度を充分に確保するものである。【００１１】  本考案の袋状包装体１の両側部４，４には、ガゼット折り込み部４１，４１が形成されていて、全体の断面が変形６角形状をなしており、被包装物を入れることによりガゼット折り込み部４１，４１が引き広げられて全体断面が四角形状となる。折り込み部４１，４１を除く４つの角部４２，４２，４２，４２にはそれぞれ縦シール４３，４３，４３，４３が施されており、前記ノッチ３２に近い側の２本の縦シール４３，４３には、横方向に引き裂き可能にヒートシールが部分的に施されていない非シール部４４，４４が形成されている。【００１２】  本考案の袋状包装体１は、以上のように形成されているので、上部の開口から被包装物を入れることによりガゼット折り込み部４１，４１が引き広げられて全体断面が四角形状となり、広幅の被包装物を容易に挿入することが可能であり、図５に示すように、開口部の近傍に横シールを施すことにより被包装物を安定に内包することが可能である。そして、本考案の袋状包装体１は、折り込み部４１，４１を除く４つの角部４２，４２，４２，４２にはそれぞれ縦シール４３，４３，４３，４３が施されているので、袋状包装体１の強度が向上されており、隣接する袋状包装体１等との接触によっても破損することなく、安定に包装状態を維持することが可能である。さらに、縦シール４３，４３，４３，４３は、側縁部を残して縦シールされているため、図６に拡大して示すように、側縁部には内部に微小な空気層４５，４５，４５，４５が形成されているので、隣接する袋状包装体１等と接触しても、損傷を与えないため、運搬な���による損傷を未然に回避することが可能である。【００１３】  そして、使用時に袋状包装体１を開封するに際しては、前記ノッチ３２の上部と下部とをそれぞれ指で掴み、ノッチ３２が広がるように上下に引けば、ノッチ３２の部分から合掌シール部が横方向に切断され、次いで背面部３が横方向に切断され、縦シール４３、４３に達する。ここで、縦シール４３，４３には、部分的に非シール部４４，４４が形成されているので、容易に横方向に切断され、さらにガゼット折り込み部４１，４１が横方向に切断され、他の縦シール４３，４３に達する。この縦シール４３，４３には、非シール部４４，４４が形成されていないので、横方向の切断はこの位置で停止し、安定に上部を上げて開口することができる。被包装物を包装袋内に残留した状態で保管したい場合には、上部の開口部を折ったり、巻いたりして封鎖し、図５，図６に示す背面部３に粘着した状態の再封ラベルシール６の非粘着部６２を持ち、背面部３から粘着部６１を剥離して前記上部の封鎖部と背面部３とに渡って再封ラベルシール６の粘着部６１にて粘着させることにより容易に封鎖部を長期間に渡って安定に保持することができる。【００１４】  上述の袋状包装体１においては、ノッチ３２に近い側の２本の縦シール４３，４３だけに、横方向に引き裂き可能にヒートシールが部分的に施されていない非シール部４４，４４が形成されている例を示したが、３本以上、例えばすべての縦シール４３，４３，４３，４３に横方向に引き裂き可能に非シール部４４，４４，４４，４４を設けることも可能であり、この場合においては、すべての縦シール４３，４３，４３，４３を横方向に引き裂き可能とすることができる。
【図面の簡単な説明】
【００１５】
【図１】  本考案の易開封性を有する袋状包装体の一例を裏面側から見た斜面図である。
【図２】  図１の易開封性を有する袋状包装体を前面側、上方から見た斜面図である。
【図３】  図１の易開封性を有する袋状包装体を裏面側、上方から見た斜面図である。
【図４】  図１の易開封性を有する袋状包装体の側面図である。
【図５】  図１の易開封性を有する袋状包装体の上部を折り込んで再封ラベルシールをした状態を示す斜面図である。
【図６】  図５のＡの部分の拡大断面図である。
【図７】  再封ラベルシールの拡大平面図である。
【図８】  図５の易開封性を有する袋状包装体の背面部を開封した状態を示す斜面図である。
【図９】  従来のガゼット包装袋を示す斜面図である。
【符号の説明】
【００１６】１    袋状包装体
２    前面部
３    背面部
３１  合掌ヒートシール
３２  ノッチ
４    側縁部
４１  ガゼット折り込み部
４２  角部
４３  縦シール
４４  非シール部
４５  空気層
５    底面部
６    再封ラベルシール
６１  粘着部
６２  非粘着部
【図１】
0003123952.tif 000003
【図２】
0003123952.tif 000004
【図３】
0003123952.tif 000005
【図４】
0003123952.tif 000006
【図５】
0003123952.tif 000007
【図６】
0003123952.tif 000008
【図７】
0003123952.tif 000009
【図８】
0003123952.tif 000010
【図９】
0003123952.tif 000011